(57)【要約】【課題】タレットと振れ止め機構とを夫々互いに干渉なく使用可能とする。【解決手段】タレット刃物台６は、下サドル７上に刃物台本体１０を、鉛直軸を中心に回転可能に備え、刃物台本体１０の側面１１にタレット１３を、側面１１と直角に隣接する側面１２に振れ止め機構１５を夫々設けて、刃物台本体１０の回転により、タレット１３と振れ止め機構１５とを選択して割り出し可能としている。【選択図】図１
2008207275.tif 000002
【特許請求の範囲】
【請求項１】
工作機械のベッド上に設けられる刃物台本体に、工具を装着するタレットを備えたタレット刃物台であって、
前記刃物台本体を、鉛直軸を中心に回転可能とし、前記刃物台本体における一の側面に前記タレットを、他の側面に振れ止め機構を夫々設けて、前記刃物台本体の回転により、前記タレットと振れ止め機構とを選択して割り出し可能としたことを特徴とするタレット刃物台。
【請求項２】
刃物台本体に、平面視で直角に隣接する鉛直方向の二側面を形成し、その二側面の一方にタレットを、他方に振れ止め機構を夫々設けたことを特徴とする請求項１に記載のタレット刃物台。
【請求項３】
ベッド上に、請求項１又は２に記載のタレット刃物台を少なくとも１つ含む複数の刃物台を設けて、前記タレット刃物台を、タレットをワーク側に割り出して前記ワークを加工する刃物台として使用する場合と、振れ止め機構をワーク側に割り出して他の刃物台で加工される前記ワークの振れ止めとして使用する場合とを選択可能としたことを特徴とする工作機械。
【発明の詳細な説明】
【技術分野】
【０００１】
本発明は、旋盤等の工作機械に設けられるタレット刃物台と、そのタレット刃物台を用いた工作機械とに関する。
【背景技術】
【０００２】
例えば旋盤では、特許文献１に示すように、ベッド上に、主軸台と心押台間で支持されるワークを挟んで、一方側に刃物台を、他方側にワークの振れ止め機構を、夫々Ｚ軸及びＸ軸方向へ移動可能に設けたものが知られている。また、特許文献２に示すように、刃物台に設けられたタレットに、旋削バイトを設けると共に、その旋削バイトの保持部材に、ワークの外周面と当接するワーク押付け部材を先端に備えたびびり止め部材（振れ止め機構）を設けたものもよく用いられている。図３，４は、このような振れ止め機構を設けたタレット刃物台を示すもので、２０は、複数の工具２１，２１・・を放射状に装着し、図示しない刃物台本体に設けられて回転割り出しされるタレット、２２はタレット２０に設けられた振れ止め機構で、振れ止め機構２２は、先端にローラ２４を備えた一対のアーム２３，２３を開閉作動させてワークの支持を行うようになっている。
【０００３】
【特許文献１】実開平６−９８４１号公報
【特許文献２】特開２００３−２６６２６８号公報
【発明の開示】
【発明が解決しようとする課題】
【０００４】
このように振れ止め機構２２をタレット２０に設ける場合、図３のように振れ止め機構２２を大きくして対応できるワークの範囲を広げると、隣接する工具がタレット２０に装着できず、タレット２０に装着できる工具の本数に制約を受ける。また、二点鎖線で示すように通常工作機械内では旋回径に制限があるため、この旋回径を超える振れ止め機構２２を使用できない問題もある。そこで、図４のように隣接する工具２１が装着できる範囲で振れ止め機構２２を小さくしても、当該隣接する工具２１で加工を行う際、二点鎖線で示すように振れ止め機構２２と干渉しない径のワークに制限されることになってしまう。
【０００５】
そこで、本発明は、振れ止め機構を併設したものにおいて、タレットと振れ止め機構との互いの干渉をなくし、振れ止め機構の大きさやタレット側での工具の本数等に制限を受けることなく使用可能としたタレット刃物台及び工作機械を提供することを目的としたものである。
【課題を解決するための手段】
【０００６】
上記目的を達成するために、請求項１に記載の発明は、工作機械のベッド上に設けられる刃物台本体に、工具を装着するタレットを備えたタレット刃物台であって、刃物台本体を、鉛直軸を中心に回転可能とし、刃物台本体における一の側面にタレットを、他の側面に振れ止め機構を夫々設けて、刃物台本体の回転により、タレットと振れ止め機構とを選択して割り出し可能としたことを特徴とするものである。
請求項２に記載の発明は、請求項１の目的に加えて、刃物台本体に、平面視で直角に隣接する鉛直方向の二側面を形成し、その二側面の一方にタレットを、他方に振れ止め機構をが夫々設けたことを特徴とするものである。
上記目的を達成するために、請求項３に記載の発明は、ベッド上に、請求項１又は２に記載のタレット刃物台を少なくとも１つ含む複数の刃物台を設けて、タレット刃物台を、タレットをワーク側に割り出してワークを加工する刃物台として使用する場合と、振れ止め機構をワーク側に割り出して他の刃物台で加工されるワークの振れ止めとして使用する場合とを選択可能としたことを特徴とするものである。
【発明の効果】
【０００７】
請求項１及び３に記載の発明によれば、一つのタレット刃物台においてタレットと振れ止め機構とを夫々互いに干渉なく使用可能となる。よって、振れ止め機構の大きさに制限を受けたり、タレット側での工具の本数や加工できる最大ワークに制限を受けたりすることがなくなる。また、段取り交換も不要となるため、作業のロスも生じない。
請求項２に記載の発明によれば、請求項１の効果に加えて、タレットと振れ止め機構との割り出しを短時間で迅速に行うことができる。
【発明を実施するための最良の形態】
【０００８】
以下、本発明の実施の形態を図面に基づいて説明する。
図１は、工作機械の一例である旋盤と、旋盤に設けられたタレット刃物台との説明図で、（Ａ）が旋盤の一部平面を、（Ｂ）がタレット刃物台の側面を夫々示す。旋盤において、図示しないベッド上のＺ軸方向の一方側には、主軸２を備えた主軸台１が、他方側には、心押台４が夫々設置され、主軸２のチャック３と心押台４の心押センタ５との間でワークＷを支持可能となっている。
６はタレット刃物台で、Ｚ軸方向及びＸ軸方向へ移動可能な下サドル７上には、中台８が設けられ、その中台８上に、カービックカップリング９を介してブロック状の刃物台本体１０が、鉛直方向の軸を中心に回転及び割り出し可能に設けられている。この刃物台本体１０には、平面視で直角に隣接する鉛直方向の二面が形成されており、一方の側面１１には、工具１４を装着したタレット１３が、回転及び割り出し可能に設けられ、他方の側面１２には、振れ止め機構１５が夫々設けられている。
【０００９】
この振れ止め機構１５は、側面１２に固着された本体１６の側方に、先端にローラ１８を備えた一対のアーム１７，１７を突設したもので、本体１６に内設した図示しないアクチュエータによってアーム１７，１７が開閉動作可能となっている。
なお、ベッド上でワークＷを挟んでタレット刃物台６の対向側には、同様にＺ軸及びＸ軸方向へ移動可能で、タレットのみを備えた図示しない他の刃物台が設けられている。
【００１０】
以上の如く構成された旋盤においては、タレット刃物台６の刃物台本体１０の回転によって、タレット１３と振れ止め機構１５との使用が選択可能となっている。
まず、タレット１３を使用する場合は、図１のように、側面１１がＸ軸と平行となるように刃物台本体１０を回転させて、タレット１３の工具１４をワークＷ側に向けた姿勢とする。よって、下サドル７のＸ軸方向への送り制御でワークＷの旋削加工が可能となる。
一方、振れ止め機構１５を使用する場合は、図２のように、側面１２がＸ軸と平行となるように刃物台本体１０を回転させて、アーム１７，１７をワークＷ側に向けた姿勢とする。よって、下サドル７へのＸ軸方向への送り制御とアーム１７，１７の開閉制御とでワークＷの支持が可能となる。この場合、ワークＷの旋削加工は他の刃物台のタレットによって行われる。
【００１１】
このように、上記形態のタレット刃物台６及び旋盤によれば、刃物台本体１０を、鉛直軸を中心に回転可能とし、刃物台本体１０の側面１１にタレット１３を、側面１２に振れ止め機構１５を夫々設けて、刃物台本体１０の回転により、タレット１３と振れ止め機構１５とを選択して割り出し可能としたことで、一つのタレット刃物台６においてタレット１３と振れ止め機構１５とを夫々互いに干渉なく使用可能となる。よって、振れ止め機構１５側ではアーム１７の大きさに、タレット１３側では工具の本数や加工できる最大ワークに夫々制限を受けることがなくなる。また、段取り交換も不要となるため、作業のロスも生じない。
【００１２】
特にここでは、刃物台本体１０に、平面視で直角に隣接する鉛直方向の二側面１１，１２を形成し、その二側面の一方にタレット１３を、他方に振れ止め機構１５を夫々設けているので、タレット１３と振れ止め機構１５との割り出しを短時間で迅速に行うことができる。
【００１３】
なお、上記形態では、直角となる二側面に夫々タレットと振れ止め機構とを設けているが、二側面の角度は直角に限定するものではなく、鈍角や鋭角でも差し支えない。また、隣接する二側面に設けるものに限らず、隣接しない平行な二側面の一方にタレットを、他方に振れ止め機構を夫々設ける等してもよい。
さらに、タレットや振れ止め機構の構成も上記形態に限定せず、例えば振れ止め機構は、先の特許文献１のように板体の前端に所定間隔でローラを設けたものとしたり、一対のローラの中間にもローラを設けてワークを三点支持するものとしたり等、適宜変更可能である。
加えて、ベッド上面が傾斜している、いわゆるスラントベッド形の工作機械に適用する場合には、刃物台本体の回転軸をベッド上面に対して垂直に設ければよい。
【００１４】
そして、タレットと振れ止め機構とは夫々一組ずつ設けるものに限らず、例えば刃物台本体を平面視で多角形状として、複数のタレットや、把持できるワークの範囲が異なる複数の振れ止め機構を各側面に取り付けて、夫々ワークの径等に応じて選択して割り出すようにすることも考えられる。
その他、上記形態の旋盤では、ワークを挟んだ一方側にタレット刃物台を、他方側に他の刃物台を夫々設けているが、両側共に本発明のタレット刃物台を夫々設けてタレットと振れ止め機構との使用を選択するようにしてもよい。このようにすれば、ワークに対する旋削側と振れ止め支持側との切替が容易に行える。勿論本発明は旋盤に限らず、他の工作機械にも適用可能である。
【図面の簡単な説明】
【００１５】
【図１】（Ａ）はタレット刃物台を用いた旋盤の一部平面図、（Ｂ）はタレット刃物台の側面図である。
【図２】振れ止め機構を使用する状態を示す旋盤の一部平面図である。
【図３】従来のタレット刃物台の説明図である。
【図４】従来のタレット刃物台の説明図である。
【符号の説明】
【００１６】
１・・主軸台、２・・主軸、４・・心押台、６・・タレット刃物台、７・・下サドル、８・・中台、１０・・刃物台本体、１１，１２・・側面、１３・・タレット、１４・・工具、１５・・振れ止め機構、１６・・本体、１７・・アーム。
【図１】
2008207275.tif 000003
【図２】
2008207275.tif 000004
【図３】
2008207275.tif 000005
【図４】
2008207275.tif 000006